(57)【要約】【課題】仰向けに寝た姿勢で本を読む時本を手で持ち上げて読むので身体に相当の負担がかかっていた。その負担を軽減する為の読書台を求めた。その為に本を下向きに、文字がはっきりと読める状態で安定して保持、本の大きさにも対応し、ページを捲るに容易であり、機構は簡単にを課題にした。【解決手段】固定式本下エッジ支持部の上部にスライド機構部を介してスライド式本上エッジ支持部を取り付けるとともに、スライド機構部に有するスライド軸上部にスプリング部（圧縮バネ）を挿入し連結して本の上下を挟む。そして固定式本下エッジ支持部の下部に本押さえ部を取り付けて本の背中綴じ込みを押さえる。【選択図】　　　　図４
2004065871.tif 000002
【特許請求の範囲】
【請求項１】
本の上下エッジ部を支え保持する一対のエッジ支持部材を有し、一方のエッジ支持部材を他方のエッジ支持部材に対して軽く圧しまた進退自在に支持せしめたことを特徴とする読書台。
【請求項２】
一方の本エッジ支持部材に本の背中を押す押え部材を設けたことを特徴とする請求項１記載の読書台。
【発明の詳細な説明】
【０００１】
【考案の属する技術分野】
本発明は読書台特に仰向けの姿勢にて読書するための読書台に関するものである。
【０００２】
【従来の技術】
仰向けに寝た姿勢で本を読むために用いられる読書用スタンドとして例えばＵ出　６０−８８５０９　Ａ４７Ｂ　２３／００　Ｓ６０．０６．１２　開　６１−２０４５２４　Ａ４７Ｂ　２３／００　Ｓ６１．１２．２３　告　０３−５２８８　Ａ　４７Ｂ　２３／００　Ｈ０３．０２．１２　登　１８８１２５６　Ｈ０３．１２．２４　請　Ｓ６２．０５．３０　が提案されている。これは本上部表紙とページを止めるクリップそれと本下部を支えるクリップとで構成されるものである。しかしかかる構成を有する読書スタンドにあってはクリップの数が多く本を取り付けるのに面倒である。また本を充分に安定して保持しようとクリップの圧力を強くするとページが捲りにくくなるという問題を有するものである。一般的にいえば仰向けに寝た姿勢で本を読む時、本が上から落ちて本の表紙やページが目にでも当たれば大変な事態になる。従来の技術のものは本を安定的に保持すれば本のページが捲りにくくなり、またページを捲り易くすれば本が安定的に保持されにくくなるという相反する関係にある。これを解決しようとすれば複雑な機構になっている。
【０００３】
【考案が解決しようとする課題】
仰向けの姿勢で本を読むためにはまず本を下向きに、文字がはっきり読める状態で安定して保持されなければならない。かつ本の大きさの違いにも対応されなければならない。そしてページを捲る時には出来るだけ容易に捲られなければならない。また機構は出来るだけ単純なものにしなければならない。
【０００４】
【課題を解決するための手段】
本の大きさの違いに対応し文字が読める状態で安定して本を保持する為に固定式本下エッジ支持部の上部にスライド機構部を設けて、それにスライド式本上エッジ支持部を取り付ける。そしてスライド機構部に有するスライド軸上部にスプリング（圧縮バネ）を挿入してスライド式本上エッジ支持部は絶えず軽く下（スタンドアーム位置反対方向）に押される状態をつくる。そうすれば本の上下を絶えず挟んでいるので本は安定して保持され、本の大きさの違いにも対応する。本上下エッジ受のあたりの長さは文字の隠れない長さにする。ページを捲り易くするために本上下エッジ支持部の厚さは本の厚さより相当大きくする。
【０００５】
開いて保持されただけの本は浮き上がり読みにくくなるので、本背中の綴じ込みを押さえ下向きに開いた本を平らにして読み易くするための本押さえ部を固定式本下エッジ支持部の下部に設ける。本押さえ機構部は本の厚さに応じて押さえ、押さえと解除が容易なものである。
【０００６】
【考案の実施の形態】
図１の読書台の使用例のごとくスタンドに読書台を取り付けて使用すれば腕に負担をかけることなく楽に仰向けに寝た姿勢で本を読むことができる。さらにベッドの頭部柱、桟をスタンド替わりに取り付けて使用すれば楽に本が読めるので病気入院の人の一助にもなる。また仰向けに寝た姿勢で本を読むための読書台として使用するだけではなく、上からアームで読書台を垂らして使用すれば通常の本を読む為の読書台としても使用することができる。
【０００７】
【実施例】
固定式本下エッジ支持部の上部（スタンドアーム位置方向）にスライド機構部を介してスライド式本上エッジ支持部を取り付けるとともに、スライド機構部に有するスライド軸上部にスプリング部（圧縮バネ）を挿入する。こうする事により本の上下エッジ部を絶えず圧しているので確実に保持される。またスプリング伸縮の範囲内で進退自在であるので本の大きさの違いにも対応する。本上下エッジ受の当たりの長さは文字の隠れない長さとしている。ページを捲り易くするために固定式本下エッジ支持部とスライド式本上エッジ支持部の厚さは本の厚さより相当厚くしているので、その範囲で本を持ち上げてページを捲ればよい。
上記だけでも使用可能ではあるが、開いて保持されただけの本は浮き上がり読みにくくなるので、本の背中綴じ込みを押さえ、下向きに開いた本を平らにして読み易くし、かつ本を固定するための本押さえ部を固定式本下エッジ支持部の下部に設ける。本押さえ機構部は本の厚さに応じて押さえ、押さえと解除が容易なものである。
その機構は固定式本下エッジ支持部とスライド式本上エッジ支持部の間に本を挿入する。そして本押さえアームを押さえる。すると爪付本押さえ軸は本押さえスプリング（圧縮バネ）の反力に抗して下降する。回転式ラックは回転式ラックスプリング（圧縮バネ）により爪付本押さえ軸の方向に絶えず押されている。それにラックのギアは爪が下方には進行するが上方には停止するように切られている。そのために本の背中綴じ込みに本押さえ部が当り本を固定したところで爪付本押さえ軸は止まる。そのページを読み終えてページを捲る時には、本押さえ解除アームを回転式ラックスプリング（圧縮バネ）の反力に抗して押すと回転式ラックが回転移動してギアが爪から外れ爪付本押さえ軸は本押さえスプリング（圧縮バネ）の反力に押され上に上がり押さえは解除される。そしてページを捲る。その繰り返しを行えばよい。
【０００８】
以後変形実施例について説明を加える。
（イ）スライド機構部にはスライドユニットを使用して実施しているが軸と環又は軸と筒を利用してスライドさせるようにしそれをスライド機構部として実施しても可能である。
（ロ）第１の変形例
スプリング部（圧縮バネ）を使用して実施したがスプリング部（引張バネ）を使用し実施しても可能である。また回転式ラックスプリング圧縮バネ）を使用して実施したが回転式ラックスプリング（引張バネ）を使用し実施しても可能である。
（ハ）第２の変形例
固定式本下エッジ支持部の上部にスライド機構部を設けてそれにスライド式本上エッジ支持部を取り付けて実施しているが固定式本上エッジ支持部の下部にスライド機構部を設けてそれにスライド式本下エッジ支持部を取り付けて実施しても可能である。
（ニ）第３の変形例
本押さえ機構部の変形例である。
本押さえ機構部は押さえと解除が容易な機構で実施しているが変形例のごとく本の背中綴じ込みを軽く絶えず押すよう本押さえスプリング（圧縮バネ）を本押さえ軸上に挿入して実施しても可能である。本のページを捲る時にはスプリングの反力に抗して本を持ち上げればよい。
（ホ）第４の変形例
本押さえ機構部の変形例である。
爪付本押さえ軸と回転式ラックで構成し実施しているがラック付本押さえ軸と爪付本押さえ解除アームで構成し実施しても可能である。しかしラック付本押さえ軸が長くなるので本押さえ機構部が大きくなる。
【０００９】
【発明の効果】
スタンドに本発明の読書台を取り付けて使用すれば腕に負担を掛けることなく楽に仰向けに寝た姿勢で本を読むことができる。であるから特に病気入院などで体力の弱った人などが寝床やベッドで本を読む時には最良の読書台である。さらに中座時には本をそのままにしておけば続きから読むこともできる。ページも捲り易く、ページ捲りの際、本の落下を心配することなく本を読むことができる。本の大きさにも対応することができる。機構も簡単である。
【図面の簡単な説明】
【図１】本発明読書台の使用例を示す斜視図である。
【図２】本発明読書台の斜視図である。
【図３】本発明読書台の中央位置における縦断面図である。
【図４】本発明読書台の中央位置における縦断面図である。
【図５】本発明読書台の本押さえ部位置における横断面図である。
【図６】本発明第１の変形例を示す縦断面図である。
【図７】本発明第２の変形例を示す縦断面図である。
【図８】本発明第３の変形例を示す縦断面図である。
【図９】本発明第４の変形例を示す縦断面図である。
【符号の説明】
１　読書台
２　スタンドアーム
３　スタンド
４　固定式本下エッジ支持部
５　本下エッジ受
６　スライド式本上エッジ支持部
７　本上エッジ受
８　スライド機構部
９　スライド軸
１０スプリング部（圧縮バネ）
１１本押さえ機構部
１２本押さえ部
１３爪付本押さえ軸
１４本押さえアーム
１５回転式ラック
１６本押さえ解除アーム
１７本押さえスプリング（圧縮バネ）
１８回転式ラックスプリング（圧縮バネ）
１９本
２０スプリング部（引張バネ）
２１回転式ラックスプリング（引張バネ）
２２固定式本上エッジ支持部
２３スライド式本下エッジ支持部
２４本押さえ軸
２５ラック付本押さえ軸
２６爪付本押さえ解除アームスプリング（引張バネ）
２７爪付本押さえ解除アーム
【図１】
2004065871.tif 000003
【図２】
2004065871.tif 000004
【図３】
2004065871.tif 000005
【図４】
2004065871.tif 000006
【図５】
2004065871.tif 000007
【図６】
2004065871.tif 000008
【図７】
2004065871.tif 000009
【図８】
2004065871.tif 000010
【図９】
2004065871.tif 000011